(57)【要約】【課題】筐体の一部又は全体を金属部により形成し、強度を確保しつつ薄型化が実現でき、作業性を改善して容易に組み立て可能な携帯電子機器を提供する。【解決手段】一対のケースを嵌合してなる筐体１０を有し、この筐体１０を形成する一対のケースのいずれか一方に金属により形成した金属ケース１４を用いるとともに、この金属ケース１４内面の内側面１４ａ及び底面１４ｂに補強板２０を２箇所接合し、金属ケース１４の補強板２０に他方の樹脂ケース１２を固着することで筐体１０を形成する。また、補強板２０は、金属ケース１４の内側面１４ａ及び底面１４ｂと合致する接合面を有し、この接合面をシボ加工したシボ面及び／又は突部を所定の間隔で複数配列させた突部面とする。また、補強板２０の突部間の凹部と突部面周囲の切り欠き部とが金属ケース１４内で形成する空間を接合材が溜まる第一及び第二の溜まり部とする。【選択図】　　　図１
2004007262.tif 000002
【特許請求の範囲】
【請求項１】
一対のケースを嵌合してなる筐体を有し、この筐体を形成する一対のケースのいずれか一方に金属により形成した金属ケースを用いるとともに、前記金属ケースの内面の一部に少なくとも１つ以上の補強板を有し、前記金属ケースの補強板に他方のケースを固着することで前記筐体を形成することを特徴とする携帯電子機器。
【請求項２】
請求項１に記載の携帯電子機器において、
前記補強板は、前記金属ケースに熱硬化性の接着剤、接着シート、接着テープなどの接合材を用いて接合することを特徴とする携帯電子機器。
【請求項３】
請求項１または２に記載の携帯電子機器において、
前記補強板は、前記金属ケースの内面の一部とほぼ合致する接合面を有し、この接合面をシボ（梨地）加工したシボ面及び／又は突部を所定の間隔で複数配列させた突部面にしたことを特徴とする携帯電子機器。
【請求項４】
請求項３に記載の携帯電子機器において、
前記補強板の突部間に形成される凹部と前記金属ケースとで形成される空間を前記接合材が溜まる第一の溜まり部としたことを特徴とする携帯電子機器。
【請求項５】
請求項３または４に記載の携帯電子機器において、
前記補強板の突部面の周囲に切り欠き部を設け、該切り欠き部と前記金属ケースとで形成される空間を前記接合材が溜まる第二の溜まり部としたことを特徴とする携帯電子機器。
【請求項６】
請求項３乃至５のいずれかに記載の携帯電子機器において、
前記補強板は、前記金属ケースに接合する少なくとも側面に前記突部面を形成することを特徴とする携帯電子機器。
【請求項７】
請求項１乃至６のいずれかに記載の携帯電子機器において、
前記補強板には、前記金属ケースに前記他方のケースを嵌合してネジを螺合して固着するボスを一体に形成したことを特徴とする携帯電子機器。
【請求項８】
請求項１乃至７のいずれかに記載の携帯電子機器において、
前記補強板及び他方のケースは、樹脂材からなることを特徴とする携帯電子機器。
【請求項９】
請求項１乃至８のいずれかに記載の携帯電子機器において、
前記補強板は、前記筐体内に収納するバイブレータ、マイク、液晶表示部、ＬＥＤなどの内部部品を覆って位置決めまたは保護することを特徴とする携帯電子機器。
【発明の詳細な説明】
【０００１】
【発明の属する技術分野】
本発明は携帯電子機器に係り、より詳細には、筐体の一部または全体が金属からなる携帯電子機器に関する。
【０００２】
【従来の技術】
近年、携帯電子機器は、例えば、携帯電話機、ＰＨＳ電話機などの移動体通信端末において、筐体を樹脂成形により形成して外面の一部または全体に金属からなる部品を取り付けて意匠的な外観を向上させる構造がよく知られている。図６は、このような携帯電話機に金属部を設けた従来の携帯電子機器の一実施形態を示す斜視図である。
【０００３】
図６に示すように、従来の携帯電子機器の一実施形態は、折り畳み式の携帯電話機に採用したものであり、この折り畳み式の筐体３０を樹脂材からなる内ケース３２と外ケース３４とを嵌合して形成し、この内部に表示部３８などの内部部品を複数収納した構造を備えている。ここで、従来の携帯電子機器の一実施形態は、外ケース３４に金属材からなる金属カバー４０を一部または全体に取り付けることで、外部に露出する筐体３０の意匠的な外観を向上させている。この金属カバー４０は、外ケース３４の表面に接着剤などの接合材またはネジ（図６ではネジ）を用いて装着している。
このように従来の携帯電子機器は、図６に示したように、筐体３０を樹脂材からなる内ケース３２と外ケース３４とにより形成し、外ケース３４の外面に金属カバー４０を装着することで、特に、折り畳み時に露出する筐体３０の意匠的な外観を向上させ、且つ、使用者が好むデザインに形成していた。
【０００４】
【発明が解決しようとする課題】
しかしながら、従来の携帯電子機器では、図６に示した外ケース３４に金属カバー４０をネジ止めする場合、ネジが金属カバー４０の表面に露出してデザイン的に影響を受けてしまう。また、金属カバー４０を接着剤などの接合材により取り付ける場合、この金属カバー４０の端部から接合材がはみ出してしまうため、これを除去する作業が必要になり製造効率を低下させるという不具合があった。
また、従来の携帯電子機器では、樹脂成形した内ケース３２及び外ケース３４により筐体３０を形成し、この筐体３０の外面に更に金属カバー４０を取り付ける構造のため、筐体４０の厚みが厚くなり機器全体の薄型化が困難になるとともに、重量も増えてしまい軽量化することができないという不具合があった。
【０００５】
本発明はこのような課題を解決し、筐体の金属部に一定の強度を備えて薄型化が実現でき、作業性を改善して容易に組み立て可能な携帯電子機器を提供することを目的とする。
【０００６】
【課題を解決するための手段】
本発明は上述の課題を解決するために、一対のケースを嵌合してなる筐体を有し、この筐体を形成する一対のケースのいずれか一方に金属により形成した金属ケースを用いるとともに、金属ケースの内面の一部に少なくとも１つ以上の補強板を有し、金属ケースの補強板に他方のケースを固着することで筐体を形成する。
【０００７】
ここで、補強板は、金属ケースに熱硬化性の接着剤、接着シート、接着テープなどの接合材を用いて接合することが好ましい。また、補強板は、前記金属ケースの内面の一部とほぼ合致する接合面を有し、この接合面をシボ加工したシボ面及び／又は突部を所定の間隔で複数配列させた突部面にすることが好ましい。また、補強板の突部間に形成される凹部と金属ケースとで形成される空間を接合材が溜まる第一の溜まり部とすることが好ましい。また、補強板の突部面の周囲に切り欠き部を設け、この切り欠き部と金属ケースとで形成される空間を接合材が溜まる第二の溜まり部とすることが好ましい。また、補強板は、金属ケースに接合する少なくとも側面に突部面を形成することが好ましい。また、補強板には、金属ケースに他方のケースを嵌合してネジを螺合して固着するボスを一体に形成することが好ましい。また、補強板及び他方のケースは、樹脂材からなることが好ましい。また、補強板は、筐体内に収納するバイブレータ、マイク、液晶表示部、ＬＥＤなどの内部部品を覆って位置決めまたは保護することが好ましい。
【０００８】
【発明の実施の形態】
次に、添付図面を参照して本発明による携帯電子機器の実施の形態を詳細に説明する。図１は、本発明による携帯電子機器の一実施形態を示す斜視図である。また、図２は、図１に示した金属ケース１４及び補強板２０を示す分解斜視図である。また、図３は、図２に示したＡ―Ａ線の断面で補強板２０を接合した状態を示す図である。また、図４は、図１に示した筐体１０内の内部構造を示す断面図である。また、図５は、図１に示した筐体１０を折り畳んだ状態を示す斜視図である。
【０００９】
図１に示すように、本発明による携帯電子機器の一実施形態は、図６に示した従来技術と同様に、折り畳み式の携帯電話機に採用したものであり、この折り畳み式の筐体１０をお互いに嵌合する一対のケースにより形成し、内部に複数の内部部品を収納した構造を備えている。また、本実施の形態は、図６に示した従来技術とは異なり、筐体１０を形成する一対のケースが樹脂成形した樹脂ケース１２と、金属により形成した金属ケース１４とを嵌合して構成している。従って、本実施の形態は、筐体１０を構成する一対のケースいずれか一方に金属により形成した金属ケース１４を用いることで、この金属ケース１４が金属カバーの役割を兼用するように形成している。
【００１０】
ここで、金属ケース１４は、その内面の一部、例えば、内側面１４ａ及び底面１４ｂと接合され、かつ、所定の幅で延在する樹脂成形した補強板２０を少なくとも１箇所以上（図１では２箇所）有している。そして、金属ケース１４は、その内側に接合された補強板２０を介して他の樹脂ケース１２に固着されて筐体１０を形成している。この際、補強板２０には、樹脂ケース１２を嵌合してネジ２７により螺合して固着するボス２４を一体に形成している。また、補強板２０は、図２に示すように、金属ケース１４に熱硬化性の接着剤、接着シート、接着テープなどの接合材２６（図２では接着テープ）を用いて接合している。この際、補強板２０は、金属ケース１４の内側面１４ａ及び底面１４ｂの面形状に合わせてほぼ合致する接合面２２を有し、この接合面２２にシボ（梨地）加工したシボ面２２ａ及び／又は突部Ｂを所定の間隔で複数配列させた突部面２２ｂ（図２では両方）を設けている。例えば、図１では金属ケース１４の底面１４ｂに接合される補強板２０の接合面２２はシボ面２２ａからなり、金属ケース１４の内側面１４ａと接合される補強板２０の接合面２２は、凹凸に形成された突部の突部面２２ｂからなる。従って、接合面２２は、シボ面２２ａと突部面２２ｂとによる凹凸面に形成され、接着面積を増やして接着強度を増す面形状に形成している。
【００１１】
また、この補強板２０は、図２に示したように、所定の冶具（図示せず）に固定してシボ面２２ａの上部に接合材２６を貼着するとともに、金属ケース１４を被せるように設置し、この金属ケース１４の上部から熱を加えることで、熱硬化性の接合材２６を溶融させて接合する。ここで、補強板２０には、金属ケース１４に接合する側面に突部Ｂを形成しており、この突部Ｂ間に形成される凹部Ｃと金属ケース１４とで形成される空間を接合材が溜まる第一の溜まり部とするとともに、図３に示すように、突部面２２ｂの周囲に形成された切り欠き部Ｄと金属ケース１４とで形成される空間を接合材が溜まる第二の溜まり部としてあり、接合面積を増やして接合力を高めることができるとともに、溶融した接合材２６を溜めて流出する（はみ出す）ことを防止している。従って、本実施の形態では、補強板２０の側面に突部Ｂを複数配列した突部面２２ｂを設け、第一及び第二の溜まり部Ｃ、Ｄを設けることで、接合強度を大幅に向上させることができるとともに、余分な接合材２６が溜まって外部への流出（はみ出し）を防止し、容易に組み立てができ作業性を改善することができる。
【００１２】
そして、補強板２０を接合した金属ケース１４は、図１に示したように、樹脂ケース１２を介してネジ２７を補強板２０のボス２４に締結し、内部部品を複数装着した樹脂ケース１２の背面を封止する。この際、補強板２０は、図４に示すように、樹脂ケース１２と金属ケース１４とからなる筐体１０内に収納したバイブレータ１６、表示部１８などの内部部品を覆って位置決めまたは保護している。このバイブレータ１６、表示部１８などの内部部品は、例えば、補強板２０に所定の固定部を設けて直接装着し、位置決めまたは保護することも可能である。従って、金属ケース１４は、図５に示すように、筐体１０を折り畳んだ際、両端側に補強板２０を各々収納しているため、例えば、落下などの衝撃が加わっても補強板２０により一定の強度を保ち変形することなく、ネジ止めにより容易に外れることを防止し、且つ、この補強板２０で同時に内部部品を保護できる。
【００１３】
このように、本発明による携帯電子機器の一実施形態によると、金属ケース１４の内面に接合した補強板２０に樹脂ケース１２をネジ止めする構造のため、ネジが金属ケース１４の表面に露出することなく、デザイン的に影響を受けることがなくなる。また、補強板２０に第一及び第二の溜まり部Ｃ、Ｄを設けて余分な接合材２６の流出（はみ出し）を防止するため、容易に組み立てができ作業性を改善できる。
また、本発明による携帯電子機器の一実施形態によると、金属ケース１４の内面の一部だけに補強板２０を接合しているため、筐体１０内の容積を大きくすることができ部品配置等の自由度を高めることができるとともに、この補強板２０により金属ケース１４が一定の強度を保ち変形することなく、容易に外れることを確実に防止し、且つ、内部部品も同時に保護できる。
【００１４】
さらに、本発明による携帯電子機器の一実施形態によると、筐体１０を樹脂ケース１２と金属ケース１４とにより形成しているため、別途金属カバーを設ける必要がなく、筐体１０の厚みを薄く形成でき、装置全体の薄型化を実現できる。以上、本発明による携帯電子機器の実施の形態を詳細に説明したが、本発明は前述した実施の形態に限定されるものではなく、その要旨を逸脱しない範囲で変更可能である。
【００１５】
例えば、携帯電話機に採用した携帯電子機器の一実施形態を説明したが、これに限定されるものではなく、ＰＨＳ電話機、ＰＤＡ、ノートパソコンなどの携帯電子機器にも適用可能である。
また、折り畳み式の携帯電話機に採用した携帯電子機器の一実施形態を説明したが、これに限定されるものではなく、例えば、ストレート式の筐体にも適用することができる。
【００１６】
【発明の効果】
このように本発明による携帯電子機器によれば、金属ケースの内面に接合した補強板に樹脂ケースをネジ止めする構造のため、ネジが金属ケースの表面に露出することなく、デザイン的に影響を受けることがなくなる。また、補強板に接合材の溜まり部を設けて余分な接合材の流出を防止することで、容易に組み立てができ作業性を改善することができる。
また、本発明による携帯電子機器によれば、金属ケース内の内面に補強板を接合しているため、この補強板により金属ケースが一定の強度を保ち変形することなく、容易に外れることを確実に防止できる。
さらに、本発明による携帯電子機器によれば、金属ケースと樹脂ケースとにより筐体を形成しているため、別途金属カバーを設ける必要がなく、筐体の厚みを薄く形成でき、装置全体の薄型化を実現できる。
【図面の簡単な説明】
【図１】本発明による携帯電子機器の一実施形態を示す斜視図である。
【図２】図１に示した金属ケース及び補強板を示す分解斜視図である。
【図３】図２に示したＡ―Ａ線の断面で補強板を接合した状態を示す図である。
【図４】図１に示した筐体内の内部構造を示す断面図である。
【図５】図１に示した筐体を折り畳んだ状態を示す斜視図である。
【図６】従来の携帯電子機器の一実施形態を示す斜視図である。
【符号の説明】
１０　　筐体
１２　　樹脂ケース
１４　　金属ケース
２０　　補強板
２２　　接合面
２２ａ　シボ面
２２ｂ　突部面
２４　　ボス
２６　　接合材
【図１】
2004007262.tif 000003
【図２】
2004007262.tif 000004
【図３】
2004007262.tif 000005
【図４】
2004007262.tif 000006
【図５】
2004007262.tif 000007
【図６】
2004007262.tif 000008